(57)【要約】【課題】ゴルフクラブヘッドにおいて、ゴルフボールの、ゴルフクラブヘッドにおける反発性の指標であるＣＴ値を効率よく表示して、ゴルフクラブの購入者に、ゴルフクラブヘッドにおける反発性に関する特性を十分に理解して購入してもらうことができるゴルフクラブヘッドの特性表示方法及びゴルフクラブヘッドの特性表示体を提供する。【解決手段】ゴルフクラブヘッドの特性を表示する際、ゴルフクラブヘッドのフェース面の各位置において打撃されたゴルフボールの、ゴルフクラブヘッドにおける反発性の指標であるＣＴ値をレベル分けすることにより、前記ＣＴ値の分布をコンター図で表示媒体に表示する。前記コンター図は、フェース面の輪郭形状に合わせた形状で、前記表示媒体に表示された前記フェース面の領域に重ねて表示される。【選択図】図２
2019187585.tif 000002
【特許請求の範囲】
【請求項１】
ゴルフクラブヘッドの特性表示方法であって、
ゴルフクラブヘッドのフェース面の各位置において打撃されたゴルフボールの、ゴルフクラブヘッドにおける反発性の指標であるＣＴ値をレベル分けすることにより、前記ＣＴ値の分布をコンター図で表示媒体に表示し、
前記コンター図は、フェース面の輪郭形状に合わせた形状で、前記表示媒体に表示された前記フェース面の領域に重ねて表示される、ことを特徴とするゴルフクラブヘッドの特性表示方法。
【請求項２】
前記コンター図には、前記分布の最大値が、前記最大値となる位置に最大値の位置を指し示すマークとともに設けられる、請求項１に記載のゴルフクラブヘッドの特性表示方法。
【請求項３】
前記フェース面の前記領域には、前記コンター図に、前記フェース面を形作るフェース部材の厚さ分布が、厚さの程度に応じて透過率が変化する透過画像として重ねて表示される、請求項１又は２に記載のゴルフクラブヘッドの特性表示方法。
【請求項４】
前記コンター図において前記ＣＴ値の分布の最大値となる位置を囲む所定の範囲の周辺領域について、前記ＣＴ値の分布よりも細かい間隔のＣＴ値で構成された前記ＣＴ値の詳細分布を、前記コンター図とともに表示する、請求項１〜３のいずれか１項に記載のゴルフクラブヘッドの特性表示方法。
【請求項５】
前記フェース面のうち、前記フェース面の中心点を中心として、前記ゴルフクラブヘッドのトウ−ヒール方向に一定の範囲で区画された注目領域内の前記ＣＴ値のうち、前記フェース面に設定された許容範囲内であって、設定された下限値以上である領域が、前記注目領域に占める面積占有比率の情報を前記表示媒体に表示する、請求項１〜４のいずれか１項に記載のゴルフクラブヘッドの特性表示方法。
【請求項６】
前記表示媒体は、コンピュータに接続されたディスプレイの表示画面であり、
前記下限値は、前記コンピュータに入力される入力値であり、
前記面積占有比率は前記入力値に応じて変更して表示される、請求項５に記載のゴルフクラブヘッドの特性表示方法。
【請求項７】
ゴルフクラブヘッドの特性を表示した特性表示体であって、
フェース面を備えるゴルフクラブヘッドを再現したゴルフクラブヘッド立体再現体と、
前記ゴルフクラブヘッド立体再現体上のフェース面再現面の各位置に、前記フェース面の各位置で打撃されたゴルフボールの、ゴルフクラブヘッドにおける反発性の指標であるＣＴ値の分布を、前記フェース面再現面の法線方向に突出させて、立体形状で表した立体分布表示部と、を備え、
前記立体分布表示部は、前記フェース面再現面の輪郭形状に合わせた形状で、前記フェース面再現面に設けられる、ことを特徴とするゴルフクラブヘッドの特性表示体。
【発明の詳細な説明】
【技術分野】
【０００１】
本発明は、ゴルフクラブヘッドの特性表示方法及びゴルフクラブヘッドの特性表示体に関する。
【背景技術】
【０００２】
ゴルフクラブヘッド、特に、ドライバー等の中空ゴルフクラブヘッドは、打撃したゴルフボールを遠くに飛ばすために反発係数の高いフェース面の構造が求められている。従来より、フェース面の反発係数を高めるために種々の技術が提案されている。その際、反発係数を高く維持したまま、ゴルフボールの打撃点の相違によって生じる飛距離の差を、より小さくする技術も提案されている。
【０００３】
例えば、スコアラインが形成されたフェース部と、クラウン部と、ソール部と、サイド部とを含む中空のゴルフクラブヘッドにおいて、フェース部は、厚肉部と薄肉部とを有し、厚肉部は、フェース部の中央部をトウ−ヒール方向に帯状に延びると共にソール部側に膨出した湾曲形状を有し、薄肉部は、厚肉部からソール部側に離間し、フェース部のサイド部及びソールの周縁に沿ってトウ−ヒール方向に形成されている構成が知られている（特許文献１）。
これにより、ゴルフボールの打撃点の相違によって生じる飛距離の差を、より小さくすることができる、とされている。
【先行技術文献】
【特許文献】
【０００４】
【特許文献１】特開２０１４−１１３３６８号公報
【発明の概要】
【発明が解決しようとする課題】
【０００５】
一方において、中空ゴルフクラブヘッドの高反発係数は、ゴルフ競技においてゴルフクラブの性能差に起因したスコアへの影響の程度を小さくする点から、制限されている。具体的には、現在、ゴルフクラブヘッドにおけるゴルフボールの反発性の一指標であるＣＴ値の上限が許容範囲内になるようにフェース面は制限されている。ＣＴ値が許容範囲を超えるゴルフクラブヘッドは、不適合のものとして扱われる。
このため、ゴルフファーにとって、ゴルフボールの飛距離の増大のために、ＣＴ値の高いゴルフクラブであるが、ＣＴ値の上限を超えないことが保証されたゴルフクラブを購入することが好ましい。
しかし、現在、ゴルフクラブのＣＴ値のフェース面上での分布を利用してゴルファへの販売を行うことは十分に行われていない。このため、ゴルフクラブの購入時、ＣＴ値の許容範囲の上限に近い高ＣＴ値を有する領域がどの程度あるかを知ることもできない。
【０００６】
そこで、本発明は、ゴルフクラブヘッドにおいて、ゴルフボールの反発性の指標であるＣＴ値を効率よく表示して、ゴルフクラブの購入者に、ゴルフクラブヘッドにおけるゴルフボールの反発性に関する特性を十分に理解して購入してもらうことができるゴルフクラブヘッドの特性表示方法及びゴルフクラブヘッドの特性表示体を提供することを目的とする。
【課題を解決するための手段】
【０００７】
本発明の一態様は、ゴルフクラブヘッドの特性表示方法であって、
ゴルフクラブヘッドのフェース面の各位置において打撃されたゴルフボールの、ゴルフクラブヘッドにおける反発性の指標であるＣＴ値をレベル分けすることにより、前記ＣＴ値の分布をコンター図で表示媒体に表示し、
前記コンター図は、フェース面の輪郭形状に合わせた形状で、前記表示媒体に表示された前記フェース面の領域に重ねて表示される。
【０００８】
前記コンター図には、前記分布の最大値が、前記最大値となる位置に最大値の位置を指し示すマークとともに設けられる、ことが好ましい。
【０００９】
前記フェース面の前記領域には、前記コンター図に、前記フェース面を形作るフェース部材の厚さ分布が、厚さの程度に応じて透過率が変化する透過画像として重ねて表示される、ことが好ましい。
【００１０】
前記コンター図において前記ＣＴ値の分布の最大値となる位置を囲む所定の範囲の周辺領域について、前記ＣＴ値の分布よりも細かい間隔のＣＴ値で構成された前記ＣＴ値の詳細分布を、前記コンター図とともに表示する、ことが好ましい。
【００１１】
前記フェース面のうち、前記フェース面の中心点を中心として、前記ゴルフクラブヘッドのトウ−ヒール方向に一定の範囲で区画された注目領域内の前記ＣＴ値のうち、前記フェース面に設定された許容範囲内であって、設定された下限値以上である領域が、前記注目領域に占める面積占有比率の情報を前記表示媒体に表示する、ことが好ましい。
【００１２】
前記表示媒体は、コンピュータに接続されたディスプレイの表示画面であり、
前記下限値は、前記コンピュータに入力される入力値であり、
前記面積占有比率は前記入力値に応じて変更して表示される、ことが好ましい。
【００１３】
本発明の他の一態様は、ゴルフクラブヘッドの特性を表示した特性表示体である。当該特性表示体は、
フェース面を備えるゴルフクラブヘッドを再現したゴルフクラブヘッド立体再現体と、
前記ゴルフクラブヘッド立体再現体上のフェース面再現面の各位置に、前記フェース面の各位置で打撃されたゴルフボールの、ゴルフクラブヘッドにおける反発性の指標であるＣＴ値の分布を、前記フェース面再現面の法線方向に突出させて、立体形状で表した立体分布表示部と、を備え、
前記立体分布表示部は、前記フェース面再現面の輪郭形状に合わせた形状で、前記フェース面再現面に設けられる。
【発明の効果】
【００１４】
上述のゴルフクラブヘッドの特性表示方法及びゴルフクラブヘッドの特性表示体によれば、ＣＴ値を効率よく表示して、ゴルフクラブの購入者に、ゴルフクラブヘッドにおけるゴルフボールの反発性に関する特性を十分に理解して購入してもらうことができる。
【図面の簡単な説明】
【００１５】
【図１】ゴルフクラブヘッドの一例の正面図である。
【図２】一実施形態におけるゴルフクラブヘッドの特性表示方法の例を示す図である。
【図３】ゴルフクラブヘッドのフェース部材の厚さ分布の透過画像の一例を示す図である。
【図４】一実施形態の特性表示方法で用いる詳細分布の例を示す図である。
【図５】ゴルフクラブヘッドのインパクトエリアを説明する図である。
【図６】一実施形態の特性表示方法で用いる特性の表示例を示す図である。
【図７】一実施形態であるゴルフクラブヘッドの特性表示体のクラウン部再現部の上面図である。
【発明を実施するための形態】
【００１６】
以下、本実施形態のゴルフクラブヘッドの特性表示方法及びゴルフクラブの特性表示体について詳細に説明する。
【００１７】
以降で説明するＣＴ値は、Ｒ＆Ａ及びＵＳＧＡによって採用されたゴルフボールの、ゴルフクラブヘッドにおける反発性に関する評価パラーメータ（ゴルフクラブヘッドの特性）であって、ゴルフクラブのフェース面の各位置に、ペンドラム試験機を用いて所定のサイズの小金属製質量体を衝突させたときに、フェース面と小鉄球との間の接触時間（μ秒）に相当する特性時間を示す値である。ＣＴ値は、フェース面の各位置で測定できるため、測定により、ＣＴ値の分布を得ることができる。一般的に、フェース面においてＣＴ値が高くなるほど、ゴルフボールの反発性は高くなることを意味し、反発性（ボール初速）は飛距離との相関が非常に高いことから、ＣＴ値の分布は、ゴルフボールがフェース面のどの位置に当たるかによって飛距離が変化することを意味する。すなわち、ＣＴ値は、フェース面の各位置において打撃されたゴルフボールの、ゴルフクラブヘッドにおける反発性の指標である。具体的には、ＣＴ値は、ＵＳＧＡの定めるペンデュラムテストに準拠して測定された時間（ｔ２−ｔ１）である。時間（ｔ２−ｔ１）が長いということは、ゴルフボールとゴルフクラブヘッドとの接触時間が長いことを意味する。長い接触時間は、大きな反発係数に帰着する。ペンデュラムテストの詳細は、２００３年２月２４日にＵＳＧＡから発行された「Notice To Manufacturers」に添付された「Technical Description of the Pendulum Test」に記載されている。
【００１８】
ペンデュラムテストに用いる試験機は、例えば、基盤から起立する２本の支柱の上方に架け渡された支軸から振り子状に支軸周りに回転移動するアームと、このアームの先端に固定された半球状の金属製質量体と、この質量体の背面に取り付けられた加速度センサと、を主に備える。ゴルフクラブは、ゴルフクラブシャフトを試験機に設けられた把持治具で把持することにより、ゴルフクラブは試験機に固定される。このような構成の試験機において、アームが所定角度となるまで金属製質量体を持ち上げ、アームが振り下ろされる。これにより、金属製質量体が振り子状に降下し、ゴルフクラブヘッドに衝突する。金属製質量体が衝突するゴルフクラブのフェース面の向きは、衝突直前の金属製質量体の進行方向がゴルフクラブヘッドのフェースに対して垂直となるように予め調整されている。
金属製質量体とゴルフクラブヘッドとが接触している間、金属製質量体の進行方向とは逆方向における加速度が金属製質量体に取り付けた加速度センサによって測定される。測定された加速度から、測定開始から加速度の時間積分された累積時系列データを求め、この累積時系列データの値が、累積時系列データの最終的な値の５％に到達するまでの時間ｔ１と、累積時系列データの値が、最終的な値の９５％に到達するまでの時間ｔ２とを求める。この２つの時間ｔ１，ｔ２から、時間（ｔ２−ｔ１）を求める。こうして、ＣＴ値を得ることができる。
【００１９】
図１は、ゴルフクラブヘッドの一例の正面図である。図１に示すゴルフクラブヘッド１０は、中空のウッド型ゴルフクラブヘッド（ドライバー）であり、ヘッド本体１２を含んで構成されている。なお、ゴルフクラブヘッドは、内部が中空のゴルフクラブヘッドでもよいが、内部が中実のゴルフクラブヘッドであってもよい。
ヘッド本体１２は、主に金属材料により構成され、例えばステンレス鋼、マルエージング鋼、純チタン、チタン合金又はアルミニウム合金等の１種又は２種以上の材料が用いられる。
ヘッド本体１２は、フェース部１４と、クラウン部１６と、ソール部１８と、サイド部２０とを備えている。
フェース部１４は、上下の高さを有して左右に延在している。
クラウン部１６は、フェース部１４よりも小さい厚さでフェース部１４の上部から後方に延在している。
ソール部１８は、フェース部１４の下部から後方に延在している。
サイド部２０は、クラウン部１６とソール部１８の間でフェース部１４のトウ２２側縁とヒール２４側縁との間を、フェースバックを通って延在している。
ヘッド本体１２は、それらフェース部１４とクラウン部１６とソール部１８とサイド部２０とで囲まれた内部が中空とされた中空構造を呈している。
フェース部１４の外側に露出する表面がボールを打撃するフェース面１４Ａである。
クラウン部１６には、フェース面１４Ａ側でかつヒール２４寄りの位置に図示されないシャフトに接続するホーゼル３０が設けられ、ホーゼル３０に図示されないシャフトが接続されることでゴルフクラブが構成される。
【００２０】
フェース面１４Ａの中心点Ｐｃは、ゴルフクラブヘッド１２を、ライ角およびフェース角が規定値となるように水平面上にゴルフクラブヘッド１０を載置した基準状態で定めることができる。なお、ライ角およびフェース角の設定値は、例えば製品カタログに記載された値である。
中心点Ｐｃは、中心点Ｐｃを通る垂線が、フェース面１４Ａのクラウン部１６側の上縁と交差する点ａ１と、中心点Ｐｃを通る垂線が、フェース面１４Ａのソール１８側の下縁と交差する点ａ２との間のフェース面１４Ａに沿ったペリフェリ長さを持つ線分の中点であり、中心点Ｐｃを通る水平線が、フェース面１４Ａのトウ側（サイド部２０側）の縁と交差する点ｂ１と、中心点Ｐｃを通る水平線が、フェース面１４Ａのヒール側の縁と交差する点ｂ２との間のフェース面１４Ａに沿ったペリフェリ長さを持つ線分の中点である。
フェース面１４Ａの縁は、例えば稜線によって特定され、また、稜線が存在しなくても、曲率半径（１ｍｍ間隔毎に測った３点の位置で定まる曲率半径）が、クラウン部１６、サイド部２０、あるいはソール部１８等の面からフェース面１４Ａに向かって進むとき、面の曲率半径が急激に小さく変化する場所を稜線位置とみなすことができる。
【００２１】
本実施形態では、このようなゴルフクラブヘッド１０に対して、図２に示すように、ゴルフクラブヘッドの特性が表示される。図２は、一実施形態におけるゴルフクラブヘッドの特性表示方法の例を示す図である。
ゴルフクラブヘッドの特性の表示を行う際、図示されないコンピュータのメモリに、ペンドラム試験機による試験を行って得られたＣＴ値の測定データをＣＴ値データとして予め記憶しておき、あるいは、ゴルフクラブヘッドを再現した数値計算モデルを用いてコンピュータシミュレーションで小鉄球のフェース面１４Ａへの衝突を再現して得られたＣＴ値のシミュレーションデータをＣＴ値データとして予め記憶しておく。ＣＴ値のデータの位置座標は、中心点Ｐｃを基準とする座標系によって定められる。
コンピュータは、オペレータの指示に応じて、コンピュータに接続されたディスプレイに、ゴルフクラブヘッド１０とＣＴ値のデータを同時に画面表示する。
【００２２】
図２に示すように、ディスプレイの表示画面５０は、ゴルフクラブヘッド１０のフェース面の各位置における、打撃されたゴルフボールの反発性を示すＣＴ値をレベル分けすることにより、ＣＴ値の分布をコンター図５２で表示している。コンター図５２は、フェース面１４Ａの輪郭形状に合わせた形状で、表示画面５０に表示されたフェース面１４Ａの領域に重ねて表示されている。輪郭形状に合わせた形状とは、コンター図５２の端と、フェース面１４Ａの輪郭形状の縁との離間する距離が所定の距離以下であることをいう。所定の距離とは、例えば、点ａ１、中心点Ｐｃ、及び点ａ２を通るフェース面１４Ａに沿ったペリフェリ長さ、及び点ｂ１、中心点Ｐｃ、及び点ｂ２を通るフェース面１４Ａに沿ったペリフェリ長さのうち長い方の長さの３％に相当する距離をいう。
ＣＴ値の各データのフェース面上の位置座標は、中心点Ｐｃを基準とする座標系によって定められているので、表示画面５０上のフェース面１４Ａの中心点Ｐｃを基準として、ＣＴ値のデータに基づいてコンター図５２が描画される。コンター図５２は、カラー表示で表示されることが、ＣＴ値の分布を直感的にかつ正確に把握する点から好ましい。
図２に示すコンター図５２は、フェース面１４Ａにおいて、ＣＴ値が２つの場所で高くなった分布を示している。しかも、コンター図５２は、フェース面１４Ａ全体にわたって表示されているので、表示画面５０を見たゴルフクラブを購入しようとする者は、フェース面１４Ａ全面に対して、ＣＴ値の高い領域がどの程度占有するか、直感的かつ容易に判断することができる。図２には、各色に対応したＣＴ値の範囲を示す凡例が設けられる。したがって、図２に示す実施形態では、表示画面５０にＣＴ値を効率よく表示して、ゴルフクラブを購入しようとする者に、ゴルフクラブヘッドにおけるゴルフボールの反発性に関する特性を十分に理解して購入してもらうことができる。
コンター図は、ＣＴ値をレベル分けして、レベルごとに色で塗り分けた形態でも、レベル毎に等高線で区切った形態でもよい。
【００２３】
従来、ゴルフクラブの特性を示すために、フェース面のスイートスポットの大きさを、ゴルフクラブヘッドのフェース面の領域に図示する表示形態があるが、この表示形態では、スイートスポットの大きさの大小を説明するだけで、スイートスポットにおけるゴルフボールの反発性がどの程度のレベルにあるのか、十分に知ることはできない。この点でも、フェース面１４Ａに、ＣＴ値の高い領域がどの程度占有するかを、直感的かつ容易に判断することができる点で、優れている。
【００２４】
一実施形態によれば、コンター図５２には、ＣＴ値の分布の最大値が、最大値となる位置に最大値の位置を指し示すマークとともに設けられる、ことが好ましい。ＣＴ値は、上述したように許容範囲が設定され、例えば、インパクトエリアでは、２５７を上限とする。このため、ＣＴ値の制限を満足するか否かを容易に判断することができる。この場合、フェース面１４Ａの中心点Ｐｃの位置を別のマークで示し、中心点Ｐｃに対する最大値の位置を示すことが好ましい。
【００２５】
一実施形態によれば、フェース面１４Ａの領域には、コンター図５２の上に、フェース面１４Ａを形作るフェース部材の厚さ分布が、厚さの程度に応じて透過率が異なる透過画像として重ねて表示されることも好ましい。
図３は、フェース部材の厚さ分布の透過画像の一例を示す図である。図３に示す透過画像６０は、コンター図５２と同様に、フェース面１４Ａの輪郭形状に合わせた形状を有する。図３では、濃淡模様のうち濃い領域ほど厚さが厚いことを示し、光の透過率が低くなっている。中心点Ｐｃを含む中心領域では厚さが厚く、この中心領域の周り、特に、ヒール−トウ方向の両側で厚さが薄くなっている。
このような厚さ分布の透過画像を、色によってレベル毎に塗り分けられたコンター図５２に重ねて表示することにより、濃淡によって厚さ分布の情報を表示し、色相によってＣＴ値の分布の情報を表示するので、ゴルフクラブの特性をより詳細に提供することができる。例えば、厚さが薄くてＣＴ値が高い領域と、厚さが比較的厚くてもＣＴ値が同様に高い領域とでは、フェース面１４Ａがゴルフボールを打撃した瞬間の打感の柔らかさが相違する。また、厚さが薄くてＣＴ値が高い領域よりも、厚さが比較的厚くてもＣＴ値が高い領域が多いほうが、耐久性の点で好ましく、寿命も長い。このような性能の相違を厚さ分布の透過画像を重ねたコンター図５２から情報を得ることができる。
なお、図３に示す例では、厚さの厚い領域ほど、透過率を低下させたが、厚さの厚い領域ほど、透過率を高くしてもよい。
【００２６】
一実施形態によれば、コンター図５２においてＣＴ値の分布の最大値となる位置を囲む所定の範囲の周辺領域について、ＣＴ値の分布よりも細かい間隔のＣＴ値で構成されたＣＴ値の詳細分布を、コンター図５２とともに表示することが好ましい。図４は、一実施形態の特性表示方法で用いる詳細分布の例を示す図である。図４では、詳細分布５４は、ＣＴ値の最大値となる位置を含む周辺領域を詳細に表示している。図４では、識別が難しいが、コンター図５２内に詳細分布５４を重ね書きしている。上述したように、ＣＴ値の許容範囲は定まっているので、より詳細にＣＴ値の分布を表示することにより、ゴルフクラブを購入しようとする者は、ＣＴ値が確実に許容範囲内にあるか否かを知ることができる。図４に示す例では、詳細分布５４では、ＣＴ値の分布に１つの明確なピーク５６Ａが存在し、その位置が特定でき、しかもそのピーク５６ＡにおけるＣＴ値が許容範囲内にあるか否かを、知ることができる。また、詳細分布５４では、図４では示されていないが、コンター図５２では判別できない２つのピークがあることを知ることもでき、２つのピークのいずれも許容範囲内にあるか否かを、知ることができる。また、詳細分布５４では、コンター図５２において１つの最大値となる位置が、２つのＣＴ値のピーク及びそのピーク間の鞍部がならされて１つの最大値を形成しているのか、急峻な１つのピークで構成されているのか、ピークの形態等を知ることができる。コンター図５２においてＣＴ値が最大値となる位置が、急峻な１つのピークで構成されている場合、急峻なピーク周辺のＣＴ値は低いため、ゴルフボールの打撃位置がばらつくことを考慮すると、安定した飛距離を確保する点では好ましくない。このように、ゴルフクラブを購入しようとする者は、表示される詳細分布５４を活用することができる。
なお、図４に示す詳細分布５４は、コンター図５２と同様に、色によってＣＴ値のレベル毎に塗り分けられたコンター図であるが、ＣＴ値の等高線図であってもよい。この場合、詳細分布５４は、コンター図５２に重ね書きされなくてもよい。
【００２７】
一実施形態によれば、フェース面１４Ａのうち、フェース面１４Ａの中心点Ｐｃを中心として、ゴルフクラブヘッド１０のトウ−ヒール方向に一定の範囲で区画されたインパクトエリア（注目領域）内のＣＴ値のうち、フェース面１４Ａに設定された許容範囲内であって、予め設定した下限値以上である領域が、インパクトエリアに占める面積占有比率の情報を表示画面５０に表示することが好ましい。
【００２８】
図５は、インパクトエリアを説明する図である。インパクトエリアは、中心点Ｐｃを中心、具体的には、水平面にゴルフクラブヘッドを基準状態で配置したときのフェース面１４Ａの中心点Ｐｃを通る垂線を中心とした、ヒール−トウ方向に広がった幅Ｗの範囲である。幅Ｗは、例えば、４２．６７ｍｍである。このインパクトエリアは、ゴルフボールが最も打撃される位置である。このインパクトエリアのいずれの位置においてもＣＴ値が許容範囲内（例えば２５７以下）にあるように、ＣＴ値は制限されている。したがって、一実施形態の表示形態では、インパクトエリアの範囲を、コンター図５２とともに表示することが好ましい。また、一実施形態によれば、インパクトエリア内の領域については、コンター図５２を表示し、コンター図５２におけるインパクトエリア外の領域については、色の濃度を低くして表示することも好ましい。これにより、インパクトエリアの全ての位置におけるＣＴ値が、この許容範囲にあるかを確認することができる他、ＣＴ値が可能な限り高いことを確認することができる。
また、インパクトエリアに占める面積占有比率に対する見方は、上級者やプロゴルファと、初級者とでは、異なる。例えば、ＣＴ値が最大値となるピークがブロードか急峻かよりも、ＣＴ値の最大値が許容範囲上限に可能な限り近いことを優先する上級者やプロゴルファと、ＣＴ値の最大値のレベルよりも、ＣＴ値が最大値となるピークがブロードであることを優先する初級者とでは、上記面積占有比率及び上記面積占有率を定める下限値が異なる。
このため、一実施形態では、下限値は、コンピュータに入力される入力値であり、面積占有比率は入力値に応じて変更して表示画面５０に表示されることが好ましい。上述の上級者やプロゴルファは、ＣＴ値の最大値を優先的に注目しながら、下限値を可能な限り高くして、そのときの面積占有比率もついでに考慮し、初級者は、下限値を上級者やプロゴルファに比べて比較的低く設定して、優先的に面積占有比率の大きさを注目しながら、ＣＴ値の最大値も考慮する。
【００２９】
また、インパクトエリアにおける所定の範囲のＣＴ値を有する領域の面積占有率を表示する場合に限らず、図６に示すように、フェース面１４Ａ全体における所定の範囲のＣＴ値を有する領域の面積占有率を表示することも好ましい。図６は、一実施形態の特性表示方法で用いる特性の表示例を示す図である。
図６に示す例のように、ＣＴ値が２４５以上（２５７以下）の領域が太線７０で囲まれて表示されている。この場合、太線で囲まれる領域の面積は４８６ｍｍ２であり、フェース面１４Ａの面積３８８１ｍｍ２に対する面積占有率は１２．５％となり、面積占有比率１２．５％が表示される。
【００３０】
このように、本実施形態では、コンピュータに接続されたディスプレイの表示画面５０に、コンター図５２がフェース面１４Ａに重ねて表示されるが、別の一実施形態では、ゴルフクラブヘッドの特性を表示した特性表示体、例えばゴルフクラブヘッドの立体形状を再現した立体モデルを用いて、コンター図を表示することもできる。
【００３１】
図７は、このような立体モデルの一例であるゴルフクラブヘッドの特性表示体のクラウン部再現部を上方から見た上面図である。図中、符号８０はゴルフクラブヘッド立体再現体、符号８４はフェース部を再現したフェース部再現部、符号８６はクラウン部を再現したクラウン部再現部、符号９０はサイド部を再現したサイド部再現部、及び符号１００は、ホーゼル３０を再現したホーゼル再現部を示す。この特性表示体は、フェース面１４Ａを備えるゴルフクラブヘッド１０を再現したゴルフクラブヘッド立体再現体８０と、ゴルフクラブヘッド立体再現体８０のフェース面再現面８４Ａの各位置に、フェース面１４Ａで打撃されたゴルフボールの反発性を示すＣＴ値の分布を、フェース面再現面８４Ａの法線方向に突出させて、立体形状で表した立体分布表示部１１０と、を備えてもよい。
立体分布表示部１１０は、フェース面再現面８４Ａの輪郭形状に合わせた形状で、フェース面再現面８４Ａに設けられる。
このような特性表示体は、ゴルフクラブヘッド１０を再現したモデルのフェース面再現面８４ＡにＣＴ値を、ＣＴ値に応じて高さを変えた立体分布で表示するので、ゴルフクラブヘッドを購入しようとする者は、この特性表示体を見て、ゴルフクラブヘッドの特性を直感的にかつ容易に理解することができる。
【００３２】
以上、本発明のゴルフクラブヘッドの特性表示方法、及びゴルフクラブヘッドの特性表示体について詳細に説明したが、本発明は上記実施形態に限定されず、本発明の主旨を逸脱しない範囲において、種々の改良や変更してもよいのはもちろんである。
【符号の説明】
【００３３】
１０  ゴルフクラブヘッド
１２  ヘッド本体
１４  フェース部
１４Ａ  フェース面
１６  クラウン部
１８  ソール部
２０  サイド部
２２  トウ
２４  ヒール
３０  ホーゼル
５２  コンター図
５４  詳細分布
５６Ａ，５６Ｂ  ピーク
６０  透過画像
７０  太線
８０  ゴルフクラブヘッド立体再現体
８４  フェース部再現部
８４Ａ  フェース面再現面
８６  クラウン部再現部
９０  サイド部再現部
１００  ホーゼル再現部
１１０  立体分布表示部
【図１】
2019187585.tif 000003
【図２】
2019187585.tif 000004
【図３】
2019187585.tif 000005
【図４】
2019187585.tif 000006
【図５】
2019187585.tif 000007
【図６】
2019187585.tif 000008
【図７】
2019187585.tif 000009